(57)【要約】【課題】  背凭れ部８および座部１１が電動アクチュエータ６の駆動に伴いスライドフレーム３の案内によって昇降できるようにした座椅子１において、背凭れ部８をリクライニング姿勢にすることを、昇降高さの確保が充分にできながら行えるようにしたものである。。【解決手段】  背凭れ部８の揺動支軸７ａを、スライドフレーム３の下端位置よりも前方に偏寄させて、背凭れ部８を、スライドフレーム３の鉛直線に対する傾斜角度αよりも背凭れ部の鉛直線に対する傾斜角度βが大きいリクライニング姿勢にできるスペースをスライドフレーム３の前方に確保した。【選択図】        図３
2006325649.tif 000002
【特許請求の範囲】
【請求項１】
座部と、該座部の後端部に揺動自在に軸支された背凭れ部と、これら座部および背凭れ部とを昇降するためのアクチュエータと、該アクチュエータによる昇降のガイドをするスライドフレームとを備えて構成した座椅子において、前記背凭れ部の揺動支軸をスライドフレームの下端位置よりも前方に偏倚させて、背凭れ部を、スライドフレームの鉛直線に対する傾斜角度よりも背凭れ部の鉛直線に対する傾斜角度が大きいリクライニング姿勢にできるように構成したことを特徴とする座椅子。
【発明の詳細な説明】
【技術分野】
【０００１】
本発明は、立上がりの補助をする座椅子の技術分野に属するものである。
【背景技術】
【０００２】
一般に、座椅子は、座部（シートクッション）と背凭れ部（シートバック）とからなり、このような座椅子の中には、座している人の立上がりの補助をするため、アクチュエータを備えた昇降機構によって座部および背凭れ部を昇降できるようにしたものが知られている（例えば特許文献１、２）。
【特許文献１】特開平９−２８５４９９号公報
【特許文献２】特開平１１−１２８０１４号公報
【発明の開示】
【発明が解決しようとする課題】
【０００３】
ところで前記従来のものは、ベースフレームから立設したスライドフレームをガイドとして座部および背凭れ部を昇降するようになっているが、これらのものにおいて、背凭れ部を後方により倒してリクライニング姿勢にする場合、前記ガイド機能を有するスライドフレームを、下端部を揺動自在に軸支した構成にせざるを得ず、このようにした場合、スライドフレームの強度、特に揺動部の強度が低下し、そのため別途補強する等の対策が必要になってしまうという問題がある。
そこでスライドフレームの傾斜を、リクライニング姿勢に合わせてより寝かせた状態に傾斜させておくことが提唱されるが、スライドフレームは、座部および背凭れ部を昇降ガイドするものであるため、スライドフレームが寝た状態になるほど、上下方向の移動量が小さくなって立ち上がり補助をするための昇降式の座椅子としての機能が損なわれることになってしまい、ここに本発明の解決すべき課題がある。
【課題を解決するための手段】
【０００４】
本発明は、上記の如き実情に鑑みこれらの課題を解決することを目的として創作されたものであって、座部と、該座部の後端部に揺動自在に軸支された背凭れ部と、これら座部および背凭れ部とを昇降するためのアクチュエータと、該アクチュエータによる昇降のガイドをするスライドフレームとを備えて構成した座椅子において、前記背凭れ部の揺動支軸をスライドフレームの下端位置よりも前方に偏倚させて、背凭れ部を、スライドフレームの鉛直線に対する傾斜角度よりも背凭れ部の鉛直線に対する傾斜角度が大きいリクライニング姿勢にできるように構成したことを特徴とする座椅子である。
【発明の効果】
【０００５】
本発明とすることにより、背凭れ部をリクライニング姿勢に倒せながら、昇降機能が損なわれてしまうことを回避できることになる。
【発明を実施するための最良の形態】
【０００６】
次ぎに、本発明の実施の形態について、図面に基づいて説明する。図中、１は座椅子であって、該座椅子１を構成する左右ベースフレーム２の後部位（後側ベースフレーム２ａ位置）に、上側ほど後方に傾斜（鉛直線に対する傾斜角α（例えば３０度））したスライドフレーム３が左右に立設されているが、該各スライドフレーム３には、左右ブラケット４の後端部に設けられた上下のスライドローラ４ａが転動自在に支持されている。左右ブラケット４間には、左右ベースフレーム２とスライドフレーム３とにそれぞれ平行になるよう略Ｌ字形に折曲した座椅子フレーム５の折曲部位が一体的に支持されている。
【０００７】
６は伸縮駆動をする電動アクチュエータであって、該電動アクチュエータ６は、左右ベースフレーム２の後端部に装架した後ベースフレーム２ａの中間部と座椅子フレーム５の上端部とのあいだに介装され、電動アクチュエータ６の伸縮駆動によって、座椅子フレーム５はスライドフレーム３にガイドされる状態で昇降するようになっている。また、７は背凭れ部８が前側に設けられた背凭れフレームであって、該背凭れフレーム７は、下端部が左右ブラケット４の前端部（スライドフレーム３の下端位置よりも前方に偏倚した位置）に支軸７ａを介して揺動自在に軸支されていて、前記スライドフレーム３の傾斜角度αよりも大きいリクライニング傾斜角度β（β＞α：βは例えば４５度）まで傾斜したリクライニング姿勢から、鉛直に近い立上がり補助姿勢まで揺動できるようになっている。
【０００８】
９はガスダンパであって、該ガスダンパ９は、下端部が左右ブラケット４間に装架した支持フレーム１０の中間部に支持され、上端部が背凭れフレーム７に支持されていて、伸縮作動に基づいて背凭れフレーム７を前後方向に揺動するものであるが、背凭れフレーム７の揺動はガスダンパ９に限定されず伸縮作動する電動アクチュエータを用いて実施することも勿論できる。
【０００９】
１１は座部であって、該座部１１が設けられる座部フレーム１１ｂは、前端部が支軸１１ａを介して座椅子フレーム５の前端部に揺動自在に支持されている。座部１１の後部下面には、前後方向長孔状のガイドレール１２が形成されており、該ガイドレール１２にリンク１３の前端部が上下方向移動自在に設けられている。このリンク１３は、中間部が前記背凭れフレーム７の支軸７ａに揺動自在に軸支され、後端部にカムローラ１３ａが設けられている。一方、前記左右スライドフレーム３間に補強フレーム１４が装架されており、該補強フレーム１４の中間部に、前記カムローラ１３ａに対向する状態でカム１５が設けられている。そしてカムローラ１３ａは、前述したように電動アクチュエータ６の駆動に基づいて座椅子フレーム５が上昇していって最上端に近づくことにタイミングを合わせてカム１５に当接し、これによってカムローラ１３ａの上動が牽制されることになってリンク１３は支軸７ａを支点として前端側が上昇する揺動をし、これに基づいて座部１１が支軸１１ａを支点として後端部が持ち上がる揺動をするようになっている。
【００１０】
叙述の如く構成された本発明の実施の形態において、座部１１および背凭れ部８の昇降を電動アクチュエータ６の駆動によって行って、座している人の立上がりの補助を行うことができ、しかも、最上端位置を除いて背凭れ部８を支軸７ａを支点として後方にさらに倒してリクライニング姿勢にすることができるものであるが、このリクライニング姿勢は、座部１１および背凭れ部８の昇降ガイドの機能を有するスライドフレーム３のベースフレーム２からの立設位置に対し、背凭れ部８の揺動支軸７ａ位置を前方に偏倚することにより、背凭れ部８とスライドフレーム３とのあいだに背凭れ部８が支軸７ａを支点として後方に倒れることができるスペースを確保できる。そして背凭れ部８をこのスペースに倒れさせることで、背凭れ部８の鉛直線に対する傾斜角度βを、スライドフレーム３の鉛直線に対する傾斜角度よりも大きくしてリクライニング姿勢にすることができる。
そして最上端位置に位置させたときには、座部１１が前上方に揺動して立ち上がり補助する姿勢となる。
【００１１】
このように本発明を実施したものでは、座部１１および背凭れ部８の昇降ガイド機能を有したスライドフレーム３を固定式のものとし、かつ背凭れ部８をリクライニング姿勢に倒せるものでありながら、背凭れ部８の支軸７ａを前方に位置ずれさせることでスライドフレーム３の鉛直線に対する傾斜も小さいもので良く、その結果、電動アクチュエータ６の伸縮ストロークが座部１１の上下移動量に有効に利用されることになって全体の前後長さも短くでき、構造簡単なものにすることができる。
【００１２】
尚、本発明は前記実施の形態に限定されないものであることは勿論であって、例えばカム１５に代えて図５に示すようなカム孔１６とすることができる。つまりこのものでは座部１１が昇降する場合に、リンク後端部１３ｂが補強フレーム１４に設けた上下方向のカム孔１６に案内されて移動する構成とし、そして座部１１が最高端位置に位置することにタイミングを合わせてリンク後端部１１ｂが前方に強制移動される構成とし、これによって座部１１を後端側が前上方に持ち上がる立ち上がり補助姿勢となるようにしてもよく、このようにすることで、通常姿勢のとき、座部１１の後端側を持上げようとしても、リンク先端部１３ｂはカム孔１６の孔幅方向に移動することになって座部１１の持上げ移動が規制されて不用意な持ち上がりが防止されるという利点がある。
【図面の簡単な説明】
【００１３】
【図１】下降姿勢の座椅子の側面図である。
【図２】下降したリクライニング姿勢の座椅子の側面図である。
【図３】上昇したリクライニング姿勢の座椅子の側面図である。
【図４】立上がり補助姿勢の座椅子の側面図である。
【図５】カム部の第二の実施の形態を示す側面図である。
【符号の説明】
【００１４】
１    座椅子
３    スライドフレーム
６    電動アクチュエータ
７ａ  支軸
８    背凭れ部
１１    座部
【図１】
2006325649.tif 000003
【図２】
2006325649.tif 000004
【図３】
2006325649.tif 000005
【図４】
2006325649.tif 000006
【図５】
2006325649.tif 000007